(57)【特許請求の範囲】
【請求項１】
ベルト本体に曳き船ロープの係止具を備える魚釣用ベルトにおいて、ベルト本体の背面中央位置に曳き船ロープの一端を連結する係止具を設けるとともに、ベルト本体の右側面位置及び左側面位置に、それぞれ曳き船ロープの中間位置を掛脱自在に引っ掛けることができるフックを設け、一端を前記背面中央位置の係止具に連結した曳き船ロープをベルト本体に沿って迂回させ、右側面位置及び左側面位置の任意のフックに引っ掛けて曳き船を下流に流すことを特徴とする魚釣用ベルト。
【請求項２】
ベルト本体の右側面位置及び左側面位置に設けるフックは、平板状のベース部の外側面に、該ベース部と一体に上方へ向けて開放されるフックを形成し、前記ベース部をベルト本体の右側面位置及び左側面位置に固定したことを特徴とする請求項１記載の魚釣用ベルト。
【請求項３】
ベルト本体の右側面位置及び左側面位置に設けるフックは、偏平な筒状部の外側面に上方へ向けて開放されるフックを一体に形成し、前記筒状部にベルト本体を通過させて、筒状部がベルト本体に沿って移動可能としたことを特徴とする請求項１記載の魚釣用ベルト。
【請求項４】
ベルト本体の右側面位置及び左側面位置に設けるフックは、平板状のベース部の外側面に、該ベース部と一体に上方へ向けて開放されるフックを形成し、前記ベース部に面ファスナを備えた帯状片を固定し、該帯状片をベルト本体に周回させて、フックをベルト本体の側面位置に固定することを特徴とする請求項１記載の魚釣用ベルト。
【請求項５】
ベルト本体の背面中央位置に設ける曳き船ロープの係止具は、一端をベルト本体に固定した連結紐の先端に固定したことを特徴とする請求項１ないし４のいずれかに記載の魚釣用ベルト。
【発明の詳細な説明】
【技術分野】
【０００１】
この発明は、主として鮎の友釣りを行なう場合に使用すると便利な魚釣用ベルトに関するものである。
【背景技術】
【０００２】
河川の釣り、主として鮎の友釣りでは、釣り上げた魚を生かしておくために曳き船と称する魚の収容具を使用する。この曳き船は、釣った鮎をおとりとして使用できるように、河川に流した状態で魚を収容する。したがって、釣り人は、常時曳き船ロープの一端を、自らの腰のベルトに連結させた状態で釣りを行なっている。ところが、流れに対して竿を出す方向は一定ではなく、状況に応じて変化する。そのとき下流に向けて流れている曳き船ロープが、釣り人の上流側にあると、曳き船ロープが絡んでしまう可能性がある。
【０００３】
曳き船ロープが、釣り人に絡んでしまうのを防止するため、鮎の友釣りに使用される従来の一般的な魚釣用ベルトは、曳き船の流れる方向の変化に対応することができるように、ベルト本体の左右両側に曳き船ロープの一端を係止させる係止具を設けている。
釣用ベルトとして特許文献１には、ベルト本体前面の一定範囲に案内紐を設け、この案内紐に通した環に曳き船のロープの一端を支持させる構造が開示されている。特許文献２には、ベルト本体の一定範囲にファスナーを取り付けておき、ファスナーのかませ具すなわちランナーに曳き船ロープの一端を取り付ける思想が開示されている。特許文献３には、ベルト本体の長手方向に形成した孔部（ガイド孔）に可動アンカーを配置し、可動アンカーに曳き船ロープの一端を連結する思想が開示されている。
【特許文献１】特開２００７−１８５１５１号公報
【特許文献２】特開平７−３１３０３４号公報
【特許文献３】特開２００９−２１９４３８号公報
【発明の開示】
【発明が解決しようとする課題】
【０００４】
ベルト本体の左右両側面位置に曳き船ロープの一端を係止させるための係止具を設けた従来の魚釣用ベルトでは、竿を出す方向が変わる度に、曳き船ロープを一方の係止具から取外し、他方の係止具に装着しなおす必要があるという不便があった。
特許文献１に記載された釣用ベルトでは、構造が複雑であるとともに曳き船ロープを支持している環の移動範囲が、前方の限られた範囲であって曳き船の可動域が狭いという欠点があった。特許文献３に記載された発明では、ベルトの長手方向にガイド孔を設け、ガイド孔に沿って可動アンカーが移動するため構造が複雑であるとともに、可動アンカーが外れる可能性がある。あるいは、必ずしも可動アンカーをスムーズに移動させることができない。
【０００５】
上記従来技術の欠点に鑑み、本発明は比較的簡単な構造の魚釣用ベルトであって、河川の流れに対して竿を出す方向が変わっても、従来の魚釣用ベルとのように、一方の係止具から曳き船ロープを取外し、他方の係止具に装着しなおす、といった面倒な操作をする必要がない魚釣用ベルトを実現することを目的とする発明である。具体的には、曳き船ロープの中間位置を左右のフックに引っ掛ける簡単な操作だけで、曳き船ロープが釣り人に絡まない魚釣用ベルトを実現することである。
【課題を解決するための手段】
【０００６】
上記目的を達成する請求項１記載の本発明は、ベルト本体に曳き船ロープ４の係止具を備える魚釣用ベルトにおいて、ベルト本体２の背面中央位置に曳き船ロープ４の一端を連結する係止具３を設ける。
ベルト本体２の右側面位置及び左側面位置には、それぞれ曳き船ロープ４の中間位置を掛脱自在に引っ掛けることができるフック６、６を設け、一端を前記ベルト本体２の背面中央位置に設けた係止具３に連結した曳き船ロープ４をベルト本体２に沿って迂回させ、右側面位置及び左側面位置のいずれか一方のフック６に引っ掛けて曳き船５を下流に流すようにする。
【０００７】
請求項２ないし請求項４記載の発明は、ベルト本体２の右側面位置及び左側面位置に設けるフック６の具体的構造に係るものである。
請求項２記載の発明は、フック６は平板状のベース部７の外側面に、ベース部７と一体に上方へ向けて開放されるフック６を形成し、ベース部７をベルト本体２の右側面位置及び左側面位置に固定することである。
請求項３記載の発明は、ベルト本体２の右側面位置及び左側面位置に設けるフック６は、偏平な筒状部９の外側面に上方へ向けて開放されるフック６を一体に形成し、筒状部９にベルト本体２を通過させて、筒状部９がベルト本体２に沿って移動可能とすることである。
請求項４記載の発明は、ベルト本体２の右側面位置及び左側面位置に設けるフック６を、平板状のベース部10の外側面に、ベース部10と一体に上方へ向けて開放されるフック６を形成し、前記ベース部10に面ファスナー12を備えた帯状片11を固定し、この帯状片11をベルト本体２に周回させて、フック６をベルト本体２の側面位置に固定することである。
請求項５記載の発明は、ベルト本体２の背面中央位置に設ける曳き船ロープ４の係止具３を、一端がベルト本体２に固定した連結紐18の先端に固定することである。
【発明の効果】
【０００８】
請求項１記載の本発明によれば、曳き船ロープ４の一端をベルト本体２の背面中央位置に設けた係止具３に連結しておき、竿を出す方向に応じて曳き船ロープ４を手繰り寄せ、ベルト本体２の右側面位置もしくは左側面位置のいずれか一方のフック６に、曳き船ロープ４を引っ掛けるだけの簡単な操作によって、曳き船５を釣り人Ａの右側面方向もしくは左側面方向の所望の方向に流すことができる効果がある。
また、全体構造が、ベルト本体の背面中央位置に係止具３を、右及び左の側面位置にフック６を設けるといった比較的簡単な構造によって構成することができるため、安価に提供することができる効果がある。さらに、特許文献１ないし３に記載された構造のように、曳き舟ロープの支持位置を変更するための可動部分が存在しない。そのため、曳き船ロープの一端を支持する可動部分が、滑らかに移動せず、支持位置の変更を円滑に行うことができないといった不具合を生じる虞がない。
【０００９】
請求項２記載の発明によれば、請求項１記載の発明を実施する上において、比較的大きな面積のベース部７をベルト本体２の定位置に固定するため、固定したフック６は安定性がよく、頑丈な状態に配置することができる。
請求項３記載の発明によれば、ベルト本体２に対してしっかりとフックを配置することができるとともに、フック６の位置を釣り場の状況や釣り人の好みに合わせて、右側面位置及び左側面位置の範囲で移動させて曳き船５を流すことができる。
請求項４記載の発明によれば、フック６を任意位置に装着することができるとともに、例えば鮎の友釣り以外の釣行に使用する場合のように、フック６を必用としないときに、フック６を取外して着用することができる。
請求項５記載の発明によれば、ベルト本体２の背面中央位置に配置する係止具３が連結紐18の先端に固定されている。したがって、釣り人が曳き船ロープの先端を係止する場合に、係止動作を行なうことができる範囲が広がり、より使い易いものとすることができる。
【図面の簡単な説明】
【００１０】
【図１】図１は、本発明に係る魚釣用ベルトの実施形態を示す展開状態の正面図、
【図２】図２は、右方向を上流とする魚釣りの状況を示す平面図、
【図３】図３は、左方向を上流とする魚釣りの状況を示す平面図、
【図４】図４は、ベルト本体の背面に配置する係止具の一例を示すもので、（ａ）は斜視図、（ｂ）はベルト本体に固定した状態の縦断面図、
【図５】図５は、ベルト本体の側面に配置するフックの実施形態を示すもので、（ａ）は斜視図、（ｂ）はベルト本体に固定した状態の縦断面図、
【図６】図６は、図５に示すフックの変形例を示す側面図、
【図７】図７は、ベルト本体の側面に配置するフックの別の実施形態を示す側面図、
【図８】図８は、ベルト本体の側面に配置するフックの、さらに別の実施形態を示す側面図、
【図９】図９は、ベルト本体の背面中央位置に配置する係止具の別の実施形態を示す正面図である。
【発明を実施するための最良の形態】
【００１１】
以下、本発明に係る魚釣用ベルトの実施形態を添付の図面に基づいて説明する。
図１は、本発明の実施形態に係る魚釣用ベルト１を展開した状態の正面図である。この魚釣用ベルト１は、一定幅のベルト本体２の両端に設けた一対の雌片13aと雄片13bで構成するバックルにより、釣り人Ａの腰に装着することができる。ベルト本体２の背面中央位置には、環状である曳き船ロープ４の係止具３を配置し、右側面位置及び左側面位置には、それぞれフック６を配置している。ベルト本体２の背面中央位置には、柔軟性を備えすべり止めとなる材質、例えば合成ゴムやウレタンで製した広幅の腰当８を装着し、魚釣用ベルト１を安定的に装着することができるように配慮している。
【００１２】
鮎の友釣りは、元気なおとり鮎を泳がせ、テリトリーに侵入したおとり鮎に攻撃をしかける鮎を引っ掛ける釣りであるため、おとり鮎は元気なほど効果的である。したがって、図２や図３に示すように釣り人Ａは河川の流れに立って竿を出し、釣り上げた鮎すなわち次におとり鮎として使用するものを弱らせないために、曳き船と称する容器に入れておく。
【００１３】
曳き船５は、綺麗な水が内部を通過して魚を弱らせないように作られ、釣り人Ａは曳船ロープ４の一端を腰、すなわちベルトに取り付けて曳き船５を河川に流した状態で釣りを行なう。このとき、曳き船５や曳き船ロープ４が釣りの邪魔にならないように、釣り人Ａは主として下流側となるベルトの側面位置に、曳き船ロープ４の一端を固定して曳き船を流すようにしている。
【００１４】
従来の魚釣用ベルトでは、ベルト本体の左右側面位置に環状の係止具が設けられている。そのため、釣り人は竿を出す方向によって流れの下流側となる側面の係止具、例えば図２に示すように右手を上流として竿を出すときは、ベルト本体２の左側面位置の係止具に曳き船ロープの一端を係止し、図３に示すように左手を上流として竿を出す場合は曳き船ロープの一端を、ベルト本体２の左側面位置の係止具に係止させていた。すなわち、竿を出す方向が変わる度に曳き船ロープの一端を付け替えなければならなかった。
【００１５】
本発明に係る魚釣用ベルトでは、曳き船ロープ４の一端を、ベルト本体２の背面中央位置に設けた係止具３に係止させし、使用中に取外す必要はない。
図２に示すように右手を上流として竿を出すときは、ベルト本体２の背面中央位置に取り付けた曳き船ロープ４を、釣り人Ａは体の左側に回して曳き船ロープ４の中間位置を左側面位置のフック６に引っ掛けて、曳き船５を下流すなわち左方向に流す。
【００１６】
図３に示すように左手を上流として竿を出すときは、釣り人Ａはベルト本体２の背面中央位置に取り付けた曳き船ロープ４を体の右側に回して曳き船ロープ４の中間位置を右側面位置のフック６に引っ掛ける。その状態で、曳き船５を下流すなわち右方向に流す。
釣り人Ａが竿を出す方向を変える場合、例えば図２に示す状態から図３に示す状態に変える場合、左側面位置のフック６に引っ掛けていた曳き船ロープ４をフックから外す。続いて、体の向きを変えるとともに曳き船ロープ４を持って、曳き船ロープ４を右側面位置のフック６に引っ掛ける。この操作だけで、曳き船ロープ４の係止位置の変更が完了する。
【００１７】
ベルト本体２の背面中央位置に設ける曳き船ロープ４の一端を係止する係止具３は、曳き船ロープ４の一端に固定した連結金具を連結するものである。図４に示す実施形態の係止具３は、図４（ａ）に示すように平板状のベース部3bに環状部3bを一体に形成し、図４（ｂ）に示すようにベルト本体２に対してベース部3bにおいて鋲14、14で固定している。ベース部3bには、鋲を通過させるための取付孔3cを穿設している。
【００１８】
曳き船ロープ４の中間位置を引っ掛けるフック６は、ベルト本体２に対してしっかりと固定されるものであれば、構造は特に限定されるものではない。このフック６は、曳き船ロープ４を常時掛け外しするものであるため、掛け外し動作に支障がなく、妄りに外れないものであるのが望ましい。
図５に示す実施形態のフック６は、平板状のベース部７の外側面に、ベース部７と一体に上方へ向けて開放されるフック６を形成し、ベース部７をベルト本体２の右側面位置及び左側面位置に固定する構造としている。
【００１９】
フック６は上方に向けてベース部７との隙間を曳き船ロープ４が通過する範囲で狭くし、上端部は外方に向けて傾斜させている。したがって、曳き船ロープ４を挿入し易く、挿入した曳き船ロープ４が妄りに脱出しないように工夫している。特に、図５に示す実施形態では、フック６とベース部７との間隔が狭まった位置よりも少し下の位置に、半球状の突起15を設けることによって、曳き船ロープ４を出し入れする操作性と、妄りに脱出しない機能性を具備したものとしている。
ベース部７は、ベルト本体２に対して接着によって固定するものであってもよいが、図５に示す実施形態ではベース部７に取付孔16、16を穿設しておき、鋲14、14によってベルト本体２に固定している。
【００２０】
図６に示す実施形態は、図５に示す実施形態の変形例であって、フック６の開放部にストッパー17を設けている。このストッパー17は、例えばバネ片とすることによってフック６の開放部を常時閉鎖して曳き船ロープ４の、確実な抜け止めとして機能する。図６に示すフックでは、曳き船ロープ４を取外す場合にストッパー17を手指で押さえ込み、フック６の上方を開放した状態とする。ベルト本体２への固定構造は、図５に示す実施形態の場合と同じである。
【００２１】
図７に示す実施形態のフック６は、ベルト本体２を通過させることができる偏平な筒状部９の外側面に、上方へ向けて開放されるフック６を一体に形成するものである。この構造のフック６は、筒状部９にベルト本体２をタイトに通過させて、ベルト本体２の右側面位置及び左側面位置に配置する。筒状部９は、ベルト本体２の所定位置に接着などの手段で固定するものであってもよいが、多少移動するものであってもよい。ベルト本体２に対して筒状部９が、多少移動、すなわち摺動するものであっても、釣り人がベルトを装着して締め付けることによって、筒状部の妄動を防ぐことができる。また、筒状部９が少なくとも側面位置の一定の範囲で移動させることを可能とすると、使用者の体格や好みに応じてフック６の位置を調節することができる。もっとも、筒状部は曳き船の引っ張り力によって移動するようなものではなく、曳き船５を水の流れに抗して支えることができるように、装着状態ではベルト本体２の側面一に固定されるものとする。
【００２２】
図８に示す実施形態のフックは、図５に示す実施形態のフックと同様に、平板状のベース部10の外側面に、ベース部10と一体に上方へ向けて開放されるフック６を形成したものである。しかしながら、この実施形態では、ベース部10に帯状片11を固定している。そして、帯状片11には面ファスナー12を備え、図８に二点鎖線で示すように、ベルト本体２を周回させて、ベルト本体２の右側面位置及び左側面位置の所望位置にそれぞれ固定することができるようにしている。帯状片11に備える面ファスナー12は、雄ファスナー12a及び雌ファスナー12bを一対とし、それぞれ帯状片11の両端部に固定している。
【００２３】
フック６のベース部10と帯状片11の固定は、例えば接着剤によって固定することができる。
上記、図８に示す実施形態のフックでは、面ファスナーを備えた帯状片11によってベルト本体２の左右側面位置に着脱自在に取り付けることができる。また、フック６の取り付け位置を変更することもできる。したがって、例えば本発明に係る魚釣用ベルト１を、鮎の友釣り以外の釣行に使用する場合は、釣り人の好みによって、フック６を取外して使用することができる。
【００２４】
図９には、ベルト本体２の背面中央位置に配置する係止具３の別の実施形態を示している。この実施形態は、ベルト本体２の背面中央位置に設ける曳き船ロープ４の係止具３を、一端がベルト本体２に固定した連結紐18の先端に固定している。連結紐18の長さは特に制限されるものではないが、特に長いものである必要はない。例えば、５cmや10cmといった比較的短いものとする。これにより、釣り人は曳き船ロープの先端を係止させるに際し、係止動作を行なうことができる範囲が広がり、より使い易いものとすることができる。曳き船ロープの先端を係止させた後は、連結紐が曳き船ロープの一部として機能する。
【符号の説明】
【００２５】
１…魚釣用ベルト、  ２…ベルト本体、  ３…係止具、  3a…ベース部、  3b…環状部、  3c…取付孔、  ４…曳き船ロープ、  ５…曳き船、  ６…フック、  ７…ベース部、  ８…腰当、  ９…筒状部、  10…ベース部、  11…帯状片、  12…面ファスナー、  13a…雌片（バックル）、  13ｂ…雄片（バックル）、14…鋲、  15…突起、  16…取付孔、  17…ストッパー、  18…連結紐、  Ａ…釣り人。
【図１】
0005547760.tif 000002
【図２】
0005547760.tif 000003
【図３】
0005547760.tif 000004
【図４】
0005547760.tif 000005
【図５】
0005547760.tif 000006
【図６】
0005547760.tif 000007
【図７】
0005547760.tif 000008
【図８】
0005547760.tif 000009
【図９】
0005547760.tif 000010